(57)【要約】      （修正有）【課題】ハウジングの天板を外すことなくハウジングの前面からドーターカードの挿抜を可能にした基板着脱装置を提供する。【解決手段】マザーコネクタを設けたマザーカードを配設したハウジングの前面開口から水平方向に挿入するドーターカード２に設けたドーターコネクタ２４２を、マザーコネクタに対して上下方向に嵌合させるための移動機構２３を備える。移動機構２３はハウジングの前面側からスライダ２３１Ｕ，２３１Ｄを操作し、レバー２３２を揺動し、カム穴２２７とのカム係合により可動板２２を上下移動させ、可動板２２に設けたドーターコネクタ２４２を上下移動させる。ドーターカードをハウジングの前面から着脱でき着脱作業が簡略化できる。ハウジング内にガイド部材を設ける必要がなく、冷却空気の通流による冷却効果を改善し、かつ各種部品の実装レイアウトの自由度を高くする。【選択図】図３
2006210632.tif 000002
【特許請求の範囲】
【請求項１】
マザーコネクタを設けたマザーカードを内部に配設したハウジングと、前記ハウジングの前面開口から挿入し、当該挿入方向とは異なる方向に沿って前記マザーコネクタに嵌合可能な基板コネクタを設けた基板とを含む基板着脱装置において、前記基板には前記基板コネクタを前記マザーコネクタと嵌合する方向に沿って移動可能な移動機構を備え、前記移動機構を前記ハウジングの前面側から動作させるように構成したことを特徴とする基板着脱装置。
【請求項２】
前記基板は前記ハウジングに対して水平方向に挿入可能であり、前記移動機構は前記基板コネクタを前記ハウジングの上下方向に移動可能に構成したことを特徴とする請求項１に記載の基板着脱装置。
【請求項３】
前記基板は前記ハウジングに対して固定的に支持される固定板と、前記固定板に対して上下方向に移動可能な可動板とを備え、前記基板コネクタは前記可動板に支持されていることを特徴とする請求項２に記載の基板着脱装置。
【請求項４】
前記移動機構は、前記基板の前面側から操作したときに前後方向に移動されるスライダと、前記スライダの移動に伴って揺動されるレバーと、前記レバーの揺動に伴って前記可動板を上下方向に移動させるカム機構とを備えることを特徴とする請求項３に記載の基板着脱装置。
【請求項５】
前記移動機構は、前記基板の前面側から操作したときに前後方向に移動されるスライダと、前記スライダにカム係合して当該スライダの移動に伴って前記可動板を上下方向に移動させるカム機構とを備えることを特徴とする請求項３に記載の基板着脱装置。
【請求項６】
前記スライダはそれぞれ独立に操作される第１のスライダと第２のスライダとで構成され、前記移動機構は、第１のスライダを奥方向に押し込んだときに前記可動板を下方向に移動させるとともに第２のスライダを前方向に移動させ、第２のスライダを奥方向に押し込んだときに前記可動板を上方向に移動させるとともに第１のスライダを前方向に移動させる構成であることを特徴とする請求項４又は５に記載の基板着脱装置。
【請求項７】
前記スライダは基板の前面に設けたスリットを通して前面側から挿入される治具により奥方向への押し込みが可能であることを特徴とする請求項６に記載の基板着脱装置。
【請求項８】
前記基板はドーターカードであることを特徴とする請求項１ないし７のいずれかに記載の基板着脱装置。
【発明の詳細な説明】
【技術分野】
【０００１】
本発明はコンピュータ装置等の電子機器のハウジング内にドーターカード（ドーターボードとも称する）等の基板を装着してハウジング内に設けたマザーカード（マザーボードとも称する）等の基板にコネクタ接続するための基板着脱装置に関するものである。
【背景技術】
【０００２】
コンピュータ装置では、ハウジング内にコネクタを有するマザーカードを配設しておき、ハウジング内にドーターカードを内挿したときに、当該ドーターカードをハウジング内に支持すると同時に、ドータカードに設けられたコネクタをマザーカードのコネクタに接続して相互の電気接続を行う構成がとられている。このようにドーターカードをマザーカードに対してコネクタ接続する着脱装置の構成として、ガイドレール方式、アングルコネクタ実装方式、スタッキングコネクタ実装方式があることが特許文献１に記載されている。
【０００３】
これらの方式のうち、ガイドレール方式は、ハウジングの一方からドーターカードを挿入し、挿入したドーターカードをガイドレールにより支持するとともに、ドーターカードの挿入側先端に設けたコネクタをマザーカードのコネクタに嵌合させる構成であり、広く利用されている。図９はその一例を示す概略構成図であり、コンピュータのハウジング１Ａの天板を取り外すと、ハウジング１Ａの底部にコネクタ１２１を搭載したマザーカード１２０が配設されている。また、ハウジング１Ａの前面板１３０と、この前面板１３０に対して前記マザーカード１２０を挟む位置に立設されたガイド板１３１にはそれぞれガイドレール１３２が形成されている。そして、ハウジング１Ａにドーターカード２Ａを内挿する際には、ドーターカード２Ａをハウジング１Ａの上部開口からガイドレール１３２に案内させながら下方に挿入し、ドーターカード２Ａの下縁部に設けているコネクタ２４２をマザーカード１２０のコネクタ１２１に嵌合させる。
【特許文献１】特開平１１−２７４７６５号公報
【発明の開示】
【発明が解決しようとする課題】
【０００４】
従来のコンピュータでは、各種回路配線が形成されるとともに各種部品が搭載されて比較的に大きなサイズのマザーカードをハウジングの底部に配設しており、コネクタはマザーカードの上方向から嵌合する構成であるため、ドーターカードはハウジングの上方から挿入する必要がある。そのため、ドーターカードを着脱する際には前述のようにハウジングの天板を取り外す必要があり、作業が煩雑なものになる。特に、近年１９インチラックと呼ばれる装置収納ラックの標準型ハウジングを用いることが考慮されているが、この場合にはハウジングの天板を開くためにも、装置をラック外へ引き出す必要があり、作業がさらに煩雑なものになる。
【０００５】
この問題に対しては、ハウジングの前面からドーターカードを着脱する構成が考えられるが、その場合にはマザーカードのコネクタを前方向から嵌合可能な構成としなければならず、コネクタの長さが長い場合にはハウジングの高さ寸法との関係から実現は困難である。コネクタの長さが短い場合でも、マザーカードにコネクタを立設支持する必要があり、コネクタとマザーカードとの間の電気配線が複雑なものになってしまう。あるいは、ドーターカードの着脱方向に対して垂直な方向に嵌合することが可能な特殊形状のコネクタが必要になり、コスト高の要因になる。
【０００６】
また、図９に示した例では、ハウジング１Ａの上方からドーターカード２Ａを挿入するために、ハウジング内に壁状のガイド板１３１を配設しているが、このガイド板１３１はハウジング１Ａの室内を分離し、あるいはハウジング１Ａの室内の空気流を阻害する要因となり、ハウジング室内における冷却空気の通流による冷却効果が低下する要因にもなる。同時にガイド板１３１によりハウジング１Ａ内に配設する各種部品のレイアウトに制約を受け、レイアウト設計の自由度が低下する。
【０００７】
本発明の目的はマザーカード及びコネクタの構成を変更することなく、ハウジングの前面からドーターカードの挿抜を可能にした基板着脱装置を提供するものである。また、本発明の目的はハウジング内における空気流を改善してハウジング内の冷却効果を高め、かつ当時にレイアウト自由度を向上させる基板着脱装置を提供するものである。
【課題を解決するための手段】
【０００８】
本発明は、マザーコネクタを設けたマザーカードを内部に配設したハウジングと、ハウジングの前面開口から挿入し、当該挿入方向とは異なる方向に沿ってマザーコネクタに嵌合可能な基板コネクタを設けた基板とを含む基板着脱装置において、基板にはマザーコネクタと嵌合する方向に沿って基板コネクタを移動可能な移動機構を備え、移動機構をハウジングの前面側から動作させるように構成したことを特徴とする。例えば、基板はハウジングに対して水平方向に挿入可能であり、移動機構は基板コネクタをハウジングの上下方向に移動可能に構成する。
【発明の効果】
【０００９】
本発明によれば、基板、例えば、ドーターカードをハウジングに挿入した状態でも治具によりドーターコネクタとマザーコネクタとの嵌合状態を外部から操作することができるので、ドーターカードをハウジングの前面側から装着し、かつ抜き出すことが可能となる。これにより、ドーターカードを着脱する際にハウジングの天板を取り外す必要はなく、着脱作業を簡略化することができる。特に、装置収納ラックの標準型ハウジングを用いる場合でも、ドーターカードの着脱時に天板を開くためにハウジングをラック外へ引き出す必要もなく、作業がさらに簡略化できる。
【００１０】
また、ドーターカードを上下方向に挿入する際の案内とするための壁状のガイドレールをハウジング内に配設する必要がなく、ハウジング室内の空気流が阻害されることもなくハウジング室内における冷却空気の通流による冷却効果を改善することも可能になる。同時にハウジング内における各種部品の実装レイアウトの自由度を高くすることができる。
【発明を実施するための最良の形態】
【００１１】
本発明において、基板はハウジングに対して固定的に支持される固定板と、固定板に対して上下方向に移動可能な可動板とを備え、基板コネクタは可動板に支持される構成とする。ここで、基板コネクタを移動させる機構、すなわち可動板を移動させるための移動機構は、基板の前面側から操作したときに前後方向に移動されるスライダと、スライダの移動に伴って揺動されるレバーと、レバーの揺動に伴って可動板を上下方向に移動させるカム機構とを備える構成とする。あるいは、基板の前面側から操作したときに前後方向に移動されるスライダと、スライダにカム係合して当該スライダの移動に伴って可動板を上下方向に移動させるカム機構とを備える構成とする。
【００１２】
かかる構成において、スライダはそれぞれ独立に操作される第１のスライダと第２のスライダとで構成され、移動機構は、第１のスライダを奥方向に押し込んだときに可動板を下方向に移動させるとともに第２のスライダを前方向に移動させ、第２のスライダを奥方向に押し込んだときに可動板を上方向に移動させるとともに第１のスライダを前方向に移動させる構成とする。また、スライダは基板の前面に設けたスリットを通して前面側から挿入される治具により奥方向への押し込みが可能である構成とする。本発明における好ましい形態としては、基板はドーターカードとして構成される。
【実施例１】
【００１３】
次に、本発明の実施例を図面を参照して説明する。図１は本発明をコンピュータに適用し、ハウジングの前面からドーターカードを着脱可能にした実施例のハウジング内部及びドーターカードの斜視図である。この実施例ではハウジング１の天板を取り付けた状態でもドーターカードの着脱は可能であるが、図１では説明のために天板を除去した状態を示している。ハウジング１は底板１０１と左右及び背面の各側板１０２，１０３，１０４を有しているが前面は枠状に形成され、その上枠１１１と下枠１１２の間を通して複数のドーターカード２が並列状態に挿入、又は抜き出すことができるようになっている。前記ハウジングの底板１０１上にはドーターカード２に設けられている後述するコネクタ（以下、ドーターコネクタと称する）２４２に嵌合可能な複数のコネクタ１２１を搭載したマザーカード１２０が配設されている。前記マザーカード１２０に設けられたコネクタ（以下、マザーコネクタと称する）１２１はハウジング１の上方向からドーターコネクタ２４２が嵌合することが可能である。これらマザーカード１２０及びマザーコネクタ１２１は図９に示した従来のコンピュータの構成と同じ構成である。ただし、この実施例ではドーターカード２をハウジング１の上方向から下方に向けて着脱するものではないので、図９の従来のコンピュータのハウジングに設けられていた上下方向にドーターカードを案内するためのガイド板は設けられていない。
【００１４】
前記ドーターカード２は、図１に示したようにコンピュータに対して外部機器を接続するための外部コネクタ２４１を搭載したプリント回路基板２４が取着されているが、その詳細を図２〜図４に示す。図２は前記プリント回路基板２４を除いた構成を右側から見た斜視図、図３はプリント回路基板２４を分離して左側から見た斜視図、図４−Ａは右側面図、図４−Ｂはプリント回路基板２４及び後述する副板２２２を除いた左側面図である。ドーターカード２は、垂直方向に延長した矩形の固定板２１と、この固定板２１の表裏面に沿って上下方向に移動可能な可動板２２とで構成される。これら固定板２１と可動板２２とを合わせた厚さはほぼ３ｍｍ程度の薄い厚さである。前記固定板２１の下辺部は水平方向に直角に曲げ加工されて底板部２１１として構成されており、固定板２１の上辺部とこの底板部２１１を前記ハウジング１の上枠１１１、下枠１１２に沿って案内させながらハウジング１内に挿入し、あるいは抜き出すことが可能とされている。前記底板部２１１の前端部２１２は前方に向けてＬ字状に曲げ加工されており、図１に示したように固定板２１をハウジング１内に挿入したときに当該前端部２１２が前記ハウジング１の下枠１１２に当接して固定板２１をハウジング１に対して安定に支持することができるようになっている。また、固定板２１の上辺部の先端縁はハウジング１内に設けたガイド片１１３のガイド溝に嵌入して垂直状態が保持されるようになっている。前記底板部２１１には矩形の窓２１３が開口されており、この窓２１３を通して前記可動板２２に設けられた後述するドーターコネクタ２４２を上下方向に挿通可能としている。
【００１５】
前記可動板２２は前記固定板２１を板厚方向に挟む主板２２１と副板２２２の一対の板部材で構成されており、前記固定板２１に対して上下に移動可能に支持されている。すなわち前記固定板２１には複数箇所、ここでは前後上下の４箇所に上下方向の長穴２１４が開口されており、前記主板２２１と副板２２２とを前記長穴２１４を挿通するボス２２３によって相互に連結しており、ボス２２３を長穴２１４内で移動させながら主板２２１と副板２２２とを一体的に上下に移動することが可能である。前記主板２２１の前辺部は前面板部２２４として水平方向に直角に曲げ加工され、この前面板部２２４に複数の開口２２５が設けられる。また、前記前面板部２２４の上辺部２２６は前方に向けてコの字状に曲げ加工され、前記ハウジング１に挿入したドーターカード２を抜き出す際に指を引っかけるために利用される。さらに、前記主板２２１には後述する移動機構２３の一部を構成するカム穴２２７が開口されている。
【００１６】
また、前記可動板２２の副板２２２には前記４つのボス２２３において前記プリント回路基板２４が図には表れないスペーサを介してネジ等により取着される。このプリント回路基板２４には、コンピュータに対して外部機器を接続するための外部コネクタ２４１が搭載されており、この外部コネクタ２４１は前記主板２２１の前面板部２２４に設けられた前記開口２２５を通してドーターカード２の前面側に露呈され、ドーターカード２をハウジング１に挿入している状態のときに外部機器に対する電気接続が可能とされている。また、前記プリント回路基板２４には図には表れない各種電子部品が搭載されるが、特にその下辺部には前記外部コネクタ２４１にも電気接続されたドーターコネクタ２４２が搭載されている。このドーターコネクタ２４２は、当該プリント回路基板２４が副板２２２と共に上下に移動されたときに前記固定板２１の底板部２１１に設けた窓２１３を通して上下に移動することが可能とされている。このドーターコネクタ２４２は下面が嵌合面として構成されており、上下移動したときに前記ハウジング１内のマザーカード１２０に設けたマザーコネクタ１２１に嵌合され、あるいは嵌合が解除されるようになっている。また、副板２２２には後述する移動機構２３を露呈させるための窓２２８が開口されている。
【００１７】
次に、前記可動板２２を上下移動させるための移動機構２３について説明する。図４−Ａ，図４−Ｂに示したように、前記固定板２１には上下位置に前後方向に伸びる上スライド溝２１５Ｕと下スライド溝２１５Ｄが形成されており、両スライド溝内にそれぞれ上スライダ２３１Ｕ、下スライダ２３１Ｄが内挿されている。前記スライド溝２１５Ｕ，２１５Ｄは固定板２１の前辺端まで連続されており、さらに前記可動板２２の主板２２１の前面板部２２４に設けた上下の各スリット２２９Ｕ，２２９Ｄを通して前面側の外部に連通されている。そして、後述するように前記上下の各スリット２２９Ｕ，２２９Ｄを通して各スライド溝２１５Ｕ，２１５Ｄ内に治具を挿入することで、前記上スライダ２３１Ｕ又は下スライダ２３１Ｄを各スライド溝２１５Ｕ，２１５Ｄ内の奥方まで押し込むことが可能とされている。ここで、前記各スリット２２９Ｕ，２２９Ｄは可動板２２が上下移動したときにも各スライド溝２１５Ｕ，２１５Ｄが外部に連通される状態を確保するために、可動板２２の上下移動距離よりも長い上下寸法に設定されている。
【００１８】
また、前記上スライダ２３１Ｕと下スライダ２３１Ｄは両端を円弧状にした上下方向に長い板状のレバー２３２によって連結されている。前記レバー２３２は前記固定板２１の上スライド溝２１５Ｕと下スライド溝２１５Ｄの上下中間部に設けられた連結片２１６に立設した支持ピン２３３Ｃによって上下方向に揺動可能に支持されている。そして、このレバー２３２の上端部と下端部にそれぞれ連結ピン２３３Ｕ，２３３Ｄによって前記上スライダ２３１Ｕと下スライダ２３１Ｄが連結されている。この連結ピン２３３Ｕ，２３３Ｄは各スライダ２３１Ｕ，２３１Ｄに設けた上下方向の長穴２３４Ｕ，２３４Ｄを挿通している。これにより、上スライダ２３１Ｕと下スライダ２３１Ｄのいずれか一方をそれぞれのスライド溝２１５Ｕ，２１５Ｄ内で一方向に移動させると、当該スライダに連結しているレバー２３２が支持ピン２３３Ｃを中心に揺動され、これに伴って他方のスライダがスライド溝内で反対方向に移動されることになる。なお、実施例では、前記支持ピン２３３Ｃと連結ピン２３３Ｕ，２３３Ｄによる各スライダ２３１Ｕ，２３１Ｄとレバー２３２との連結状態を保持するためにほぼＳ字状をした補助片２３５Ｃ，２３５Ｕ，２３５Ｄをレバー２３２の反対側に配設し、これらの補助片２３５Ｃ，２３５Ｕ，２３５Ｄとレバー２３２との間に前記固定板２１を挟持する構成を採用している。
【００１９】
その上で、前記可動板２２の主板２２１に開口された前記カム穴２２７内に前記レバー２３２が配設される。前記主板２２１とレバー２３２とは同一面に位置されており、また、カム穴２２７の上下の各辺には上下方向に傾斜したカム辺部２２７Ｕ，２２７Ｄが設けられ、その上でこれらのカム辺部２２７Ｕ，２２７Ｄに前記レバー２３２の上端部と下端部がそれぞれ当接可能とされている。なお、前記可動板２２の副板２２２に開口された窓２２８は前記補助板２３５Ｃ，２３５Ｕ，２３５Ｄと干渉しないようにするための開口である。
【００２０】
以上の構成におけるドーターカード２をハウジング１に対して装着し、またハウジング１から抜き出す作用について説明する。ドーターカード２はハウジング１に装着していないときには、後述するように固定板２１に対して可動板２２が上方に移動され、可動板２２に取着されているプリント回路基板２４のドーターコネクタ２４２は固定板２１の底板部２１１よりも上方に移動されている状態にある。この状態でドーターカード２をハウジング１の前面側から挿入する。挿入時には固定板２１の上辺部と底板部２１１がそれぞれハウジング１の上枠１１１、下枠１１２に案内されながら挿入され、挿入後は上辺部がガイド片１１３のガイド溝に嵌合し、底板部２１１が下枠１１２に当接することでドーターカード２はハウジング１内の所定位置に安定に保持される。
【００２１】
ドーターカード２をハウジング１に挿入した後に、図５に示すように、前面板部２２４の下スリット２２９Ｄを通して治具Ｊを下スライド溝２１５Ｄ内に挿入する。治具Ｊは図７に示すように、手でつかむためのグリップ部Ｊ１と、このグリップ部Ｊ１から延長された細長いステック部Ｊ２とで構成され、ステック部Ｊ２を前記上下の各スライド溝２１５Ｕ，２１５Ｄ内に挿入して各スライダ２３１Ｕ，２３１Ｄを奥方向に押し込むことが可能な構成をしている。この治具Ｊを下スライド溝２１５Ｄ内に挿入し、下スライダ２３１Ｄに当接させ、さらに下スライダ２３１Ｄを奥方向に押し込むとレバー２３２は支持ピン２３３Ｃを中心に図５の反時計方向に揺動する。このレバー２３２の揺動によりレバー２３２の下端部がカム穴２２７の下側のカム辺部２２７Ｄに当接し、これら両者の当接によりカム動作が行われ、レバー２３２の揺動力は主板２２１の下方向への移動力となり、主板２２１及びこれと一体の副板２２２、すなわち可動板２２は下方に移動される。これによりプリント回路基板２４と、これに搭載されているドーターコネクタ２４２が一体的に下方に移動し、ドーターコネクタ２４２がマザーコネクタ１２１に嵌合され、ドーターカード２の装着が完了する。このとき、レバー２３２の当該揺動により上スライダ２３１Ｕは前方に移動された状態にある。
【００２２】
一方、ドーターカード２をハウジング１から抜き出すときには、図６に示すように治具Ｊを上スライド溝２１５Ｕ内に挿入し、上スライダ２３１Ｕを奥方向に押し込むと、レバー２３２は図の時計方向に揺動する。このレバー２３２の揺動によりレバー２３２の上端部がカム穴２２７の上側のカム辺部２２７Ｕに当接し、両者間でのカム動作によりレバー２３２の揺動力は主板２２１、すなわち可動板２２の上方向への移動力となり、可動板２２は上方に移動される。このとき下スライダ２３１Ｄは前方に移動される。これによりプリント回路基板２４と、これに搭載されているドーターコネクタ２４２が一体的に上方に移動し、ドーターコネクタ２４２がマザーコネクタ１２１との嵌合から外され、さらに固定板２１の底板部２１１よりも上方に移動される。したがって、固定板２１の上辺部２２６を指で引っかけて前方に引き出すことでドーターカード２をハウジング１の前面側から抜き出すことができる。
【００２３】
このように、実施例１の構成では、ドーターカード２をハウジング１に挿入した状態でも治具Ｊによりドーターコネクタ２４２を上下移動させてマザーコネクタ１２１との嵌合状態を外部から操作することができるので、ドーターカード２の挿入方向とマザーコネクタ１２１の嵌合方向とが異なる方向に構成されている場合でもドーターカード２をハウジング１の前面側から装着し、かつ抜き出すことが可能となる。そのため、ハウジング１内の底部に配設されたマザーカード１２０のマザーコネクタ１２１に対してドーターコネクタ２４２を上下方向に嵌合させる構成の場合でも、ドーターカード２を着脱する際に従来のようにハウジング１の天板を取り外す必要はなく、着脱作業を簡略化することができる。したがって、１９インチラックと呼ばれる装置収納ラックの標準型ハウジングを用いる場合でも、ドーターカード２の着脱時に天板を開くためにハウジング１をラック外へ引き出す必要もなく、作業がさらに簡略化できる。
【００２４】
また、その一方で、図９に示した従来構造のように、ドーターカード２を上下方向に挿入する際の案内とするための壁状のガイド板１３１が不要となるため、このガイド板によってハウジング１の室内が分離されることはなく、ハウジング１の室内における空気流が阻害されずに冷却空気の通流による冷却効果を改善することも可能になる。また、同時にガイド板が不要になることから、ハウジング内における各種部品の実装レイアウトの自由度を高くすることもできる。
【実施例２】
【００２５】
前記実施例では可動板を上下方向に移動させる移動機構の構成として、スライダに連結して揺動されるレバーと、このリンクによって可動板を上下移動させるカム機構を利用したが、他の構成であってもよい。例えば、図８は実施例２のドーターカードを副板を除いて左側から見た斜視図であり、実施例１と等価な部分には同一符号を付し、共通する構成については説明は省略する。この実施例２では、上下の各スライダ２３１Ｕ，２３１Ｄは実施例１とは若干形状を相違させているとともに、各スライダ２３１Ｕ，２３１Ｄにはそれぞれ上下方向に傾斜したカム溝２３６Ｕ，２３６Ｄを形成し、可動板２２の主板２２１には当該カム溝２３６Ｕ，２３６Ｄに挿入されたカムピン２３７Ｕ，２３７Ｄを支持している。このカムピン２３７Ｕ，２３７Ｄはスライダ２３１Ｕ，２３１Ｄを主板２２１との間に板厚方向に挟持する補助片２３８Ｕ，２３８Ｄとの間に支持されており、また当該補助片２３８Ｕ，２３８Ｄは固定板２１の上下にそれぞれに設けたカム開口２１７Ｕ，２１７Ｄの前後両辺に摺接されて当該カム開口２１７Ｕ，２１７Ｄ内において上下方向にのみ移動可能に係合されている。
【００２６】
この実施例２では、図７に示した治具Ｊにより上スライダ２３１Ｕ又は下スライダ２３１Ｄを奥方向に移動させると、カム溝２３６Ｕ，２３６Ｄとカムピン２３７Ｕ，２３７Ｄとの摺接によるカム動作によって当該カムピン２３７Ｕ，２３７Ｄ、すなわちこれを支持している可動板２２の主板２２１と補助片２３８Ｕ，２３８Ｄが共に移動されようとするが、これらは上下方向のみ移動可能であるため、当該移動力の分力によって上下方向にのみ移動される。すなわち、下スライダ２３１Ｄが奥方向に押し込まれたときには可動板２２が下方に移動され、上スライダ２３１Ｕが奥方向に押し込まれたときには可動板２２が上方向に移動される。これにより、実施例１と同様にドーターカード２をハウジング１に挿入した状態で外部からドーターコネクタ２４２を上下に移動してマザーコネクタ１２１との嵌合及びその解除が実現できる。この実施例２では実施例１に比較して可動板２２の移動に際しての円滑性は若干低くなるが、構造を簡略化する上で有利である。
【００２７】
なお、本発明にかかる移動機構は実施例１，２の構成に限られるものではなく、リンク機構、あるいはピニオン・ラック機構のように治具による前後方向の移動力を上下方向の移動力に変換する機構であれば本発明の着脱装置にも適用が可能である。また、本発明にかかる基板は実施例のドーターカードに限定されるものではなく、また、ドーターカードに搭載されている各種端子は実施例１，２の構成に限られるものでないことは言うまでもない。
【図面の簡単な説明】
【００２８】
【図１】本発明を適用したコンピュータの要部の全体斜視図である。
【図２】ドーターカードの一部を前面右側から見た斜視図である。
【図３】ドーターカードの一部を分解した構成を左側から見た斜視図である。
【図４−Ａ】ドーターカードの右側面図である。
【図４−Ｂ】ドーターカードの一部を除去した右側面図である。
【図５】ドーターコネクタを下げる動作を説明する斜視図である。
【図６】ドーターコネクタを上げる動作を説明する斜視図である。
【図７】治具の斜視図である。
【図８】実施例２のドーターカードの一部を除去した左側から見た斜視図である。
【図９】従来の基板着脱装置のコンピュータの一部の斜視図である。
【符号の説明】
【００２９】
１  ハウジング
１２０  マザーカード
１２１  マザーコネクタ
２  ドーターカード
２１  固定板
２２  可動板
２２１  主板
２２２  副板
２３  移動機構
２３１Ｕ，２３１Ｄ  スライダ
２３２  レバー
２２７  カム穴
２４  プリント回路基板
２４１  外部コネクタ
２４２  ドーターコネクタ
Ｊ  治具
【図１】
2006210632.tif 000003
【図２】
2006210632.tif 000004
【図３】
2006210632.tif 000005
【図４−Ａ】
2006210632.tif 000006
【図４−Ｂ】
2006210632.tif 000007
【図５】
2006210632.tif 000008
【図６】
2006210632.tif 000009
【図７】
2006210632.tif 000010
【図８】
2006210632.tif 000011
【図９】
2006210632.tif 000012